(57)【特許請求の範囲】
【請求項１】
開口部を有する薬剤容器の内部に常温揮散性薬剤を保持させた担体を収納したドアノブ用
薬剤揮散体であって、
前記開口部が少なくとも側面および正面に設けられており、
前記側面における開口部（Ａ）の面積が前記側面の面積全体の１０〜５０％であり、
前記正面及び背面における開口部（Ｂ）の合計面積が前記正面及び背面の合計面積全体の
１０〜５０％であり、
前記側面に設けられた開口部（Ａ）と前記正面及び背面に設けられた開口部（Ｂ）との面
積比が、Ａ／Ｂ＝０.３〜３.０であり、
さらに前記薬剤容器が、
直方体状の本体部と、
側面視における断面形状が三角形状、凸形状、台形状、円弧状、曲線状のいずれかの形状
となっている蓋部とからなることを特徴とするドアノブ用薬剤揮散体。
【請求項２】
前記薬剤容器に、
足部を設けたことを特徴とする請求項１に記載のドアノブ用薬剤揮散体。
【請求項３】
前記常温揮散性薬剤が、
トランスフルトリン、メトフルトリン、エンペントリン、プロフルトリンから選ばれる少
なくとも一種以上の薬剤を用いたものであることを特徴とする請求項１または請求項２に記載のドアノブ用薬剤揮散体。
【発明の詳細な説明】
【技術分野】
【０００１】
本発明は、ドアノブに係止して使用することによって、蚊、ブユ等の飛翔害虫を駆除または忌避するドアノブ用薬剤揮散体に関するものである。
【背景技術】
【０００２】
従来から、薬剤容器に収納した常温揮散性の薬剤を空気中に揮散させることによって防虫や忌避を行う薬剤揮散体は知られている。本出願人においても、特許文献１において、開口部を有する直方体形状の薬剤容器に常温揮散性薬剤を含有した網状筒型の担体を収納して、当該開口部から防虫剤を空気中に揮散させる薬剤揮散体を開示している。
【先行技術文献】
【特許文献】
【０００３】
【特許文献１】特開２００８−１９４０３４号公報
【発明の概要】
【発明が解決しようとする課題】
【０００４】
しかしながら、特許文献１に記載の薬剤揮散体は正面、背面、側面に開口部を備えてはいるものの、薬剤容器の厚みが１ｃｍ程度と非常に薄いことから、側面の開口部と正面および背面の開口部との間において薬剤容器の内部を通過する空気の流れについては、正面の開口部と背面の開口部との間における空気の流れに比べると少なくなってしまうことになる。
この点については、特許文献１に記載の薬剤揮散体が、特許文献１の図１に記載のようにドアノブに係止して使用することができるフック部６を備えていることから、ドアノブに係止して使用する場合に顕著に表れることになる。すなわち、フック部６をドアノブに係止して使用すると薬剤容器の背面はドア面に接触するか、またはドア面との間にほとんど隙間がない状態で使用されることになることから、常温揮散性薬剤は主に側面の開口部と正面および背面の開口部との間において通過する空気の流れによって薬剤容器内から揮散することになり、揮散効率が低下することになる。
【０００５】
本発明は、上記した従来の問題点に鑑みてなされたものであって、ドアノブに係止して使用した場合においても、常温揮散性薬剤の十分な揮散効率を確保することができるドアノブ用薬剤揮散体の提供を目的とする。
【課題を解決するための手段】
【０００６】
上記目的を達成するために、本発明の請求項１にかかるドアノブ用薬剤揮散体は、開口部を有する薬剤容器の内部に常温揮散性薬剤を保持させた担体を収納したドアノブ用薬剤揮散体であって、開口部が少なくとも側面および正面に設けられており、側面における開口部（Ａ）の面積が側面の面積全体の１０〜５０％であり、正面及び背面における開口部（Ｂ）の合計面積が正面及び背面の合計面積全体の１０〜５０％であり、側面に設けられた開口部（Ａ）と正面及び背面に設けられた開口部（Ｂ）との面積比が、Ａ／Ｂ＝０.３〜３.０であることを特徴とする。
【０００７】
本発明の請求項２にかかるドアノブ用薬剤揮散体は、薬剤容器が、直方体状の本体部と、側面視における断面形状が三角形状、凸形状、台形状、円弧状、曲線状のいずれかの形状となっている蓋部とからなることを特徴とする。
【０００８】
本発明の請求項３にかかるドアノブ用薬剤揮散体は、薬剤容器に、足部を設けたことを特徴とする。
【０００９】
本発明の請求項４にかかるドアノブ用薬剤揮散体は、常温揮散性薬剤が、トランスフルトリン、メトフルトリン、エンペントリン、プロフルトリンから選ばれる少なくとも一種以上の薬剤を用いたものであることを特徴とする。
【００１０】
（薬剤容器）
本発明に用いられる薬剤容器とは、後記する常温揮散性薬剤を保持させた担体を収納できるものであれば特に形態には限定されないが、担体の交換を容易にするためにも本体部と蓋部によって担体を収納する形態であることが好ましい。
【００１１】
薬剤容器の形状についても、収納した担体の開口部から常温揮散性薬剤を揮散させることができるものであれば特に限定されないが、後記する開口部によって形成される空気の流れに乗せて常温揮散性薬剤を効果的に揮散させるためには、薬剤容器の中央の厚みを端部に比べて厚くすることが好ましい。具体的には、薬剤容器の中央の厚みを端部に比べて０．５〜５．０ｃｍ厚くすることが好ましく、例えば図１に示すように、薬剤容器を直方体状の本体部と、側面視における断面形状が円弧状となっている蓋部によって形成する形態が挙げられる。なお、図１に示す薬剤容器４は中央部の厚みが約３．６ｃｍ、端部の厚みが約１．８ｃｍの蒲鉾状となっている。
また、蓋部については、円弧状以外にも、側面視における断面形状が三角形状、凸形状、台形状、円弧状、曲線状のいずれかの形状となっているものなどを用いることもできる。
【００１２】
また、本発明に用いられる薬剤容器には薬剤容器をドアノブに引っ掛けて吊ることができるようにフック部を設けることができる。かかるフック部については、図１に示す調節孔兼開口部９のようにドアノブの大きさに合わせてフック部の大きさを調節することができるようなアジャスト機能を持たせることもできる。
【００１３】
（開口部）
本発明の薬剤容器の側面および正面には、常温揮散性薬剤を薬剤容器の外に揮散させるために開口部を設けておく必要がある。
なお、薬剤容器の背面に開口部を設けるか否かについては必要に応じて適宜決定される。具体的には、本発明に用いられる薬剤容器には当該容器を縦立させるためなどに足部を設けることができるが、かかる足部を薬剤容器の背面に設けることによって薬剤容器の背面とドア面との間に隙間を確保することができる場合などには、薬剤容器の背面に開口部を設けることが好ましい。
【００１４】
一方、本発明の薬剤揮散体は主にフック部をドアノブに引っ掛けて吊るすようにして使用することになることから、足部が薬剤容器の背面にないような場合には薬剤容器の背面はドア面に接触するか、またはドア面との間にほとんど隙間がない状態となる。従って、このような状態の場合、すなわち背面の開口部と側面および正面の開口部との間における空気の流れを特に確保する必要がない場合には薬剤容器の背面には開口部を設けないようにすることもできる。
【００１５】
ここで、各面における開口部の占める面積（開口率）は、揮散効率の点から、側面の開口部については側面の面積全体の１０〜５０％であることが好ましく、正面および背面の開口部については正面および背面の面積全体の１０〜５０％であることが好ましい。
【００１６】
さらに、側面に設けられた開口部（Ａ）と正面及び背面に設けられた開口部（Ｂ）との面積比（開口比率）についても、揮散効率の点からＡ／Ｂ＝０.３〜３.０であることが好ましい。
【００１７】
（常温揮散性薬剤）
本発明において使用される常温揮散性薬剤としては、常温において空気中に揮散する性質を有するものであれば特に限定されないが、より強力な防虫効果を発揮させるためには、ピレスロイド系の薬剤を用いることが好ましく、これらの中でも揮散性能の点から、トランスフルトリン、メトフルトリン、エンペントリン、プロフルトリンを用いることが好ましい。
なお、これらのピレスロイド系薬剤については、各種の光学異性体または幾何異性体が存在するがいずれの異性体類も使用することができ、さらに単独で使用するだけなく２種以上を併用することもできる。
【００１８】
なお、本発明で用いる常温揮散性薬剤には、共力剤、忌避剤、抗菌剤、防黴剤、芳香剤、香料等も同時に使用可能である。
例えば、共力剤としては、オクタクロロジプロピルエーテル（商品名Ｓ−４２１）、イソボルニルチオシアノアセテート（商品名ＩＢＴＡ）、Ｎ−オクチルビシクロヘプテンカルボキシイミド（商品名サイネピリン２２２）、Ｎ−（２−エチルヘキシル）−１−イソプロピル−４−メチルビシクロ〔２，２，２〕オクト−５−エン−２，３−ジカルボキシイミド（商品名サイネピリン５００）が挙げられる。
忌避剤としては、Ｎ，Ｎ−ジエチル−ｍ−トルアミド（商品名ディート）、ジメチルフタレート、ジブチルフタレート、２−エチル−１，３−へキサンジオール、１，４，４ａ，５ａ，６，９，９ａ，９ｂ−オクタヒドロジベンゾフラン−４ａ−カルバルデヒド、ｐ−メンタン−３，８−ジオール等が挙げられる。
抗菌剤としては、ヒノキチオール、テトラヒドロリナロール、オイゲノール、シトロネラール、アリルイソチオシアネート等が挙げられる。
防黴剤としては、イソプロピルメチルフェノール、オルトフェニルフェノール等が挙げられる。
芳香剤としては、シトロネラ油、オレンジ油、レモン油、ライム油、ユズ油、ラベンダー油、ペパーミント油、ユーカリ油、ジャスミン油、檜油、緑茶精油、リモネン、α−ピネン、リナロール、ゲラニオール、フェニルエチルアルコール、アミルシンナミックアルデヒド、クミンアルデヒド、ベンジルアセテート等が挙げられる。
香料としては、「緑の香り」と呼ばれる青葉アルコールや青葉アルデヒド配合の香料成分などが挙げられる。
さらに、着色剤、帯電防止剤などを適宜配合してもよく、色彩を付加したり、タイムインジケーターを装着して使用終了時点を視認できるようにすれば、商品価値をより高めることができる。
【００１９】
また、本発明で用いる常温揮散性薬剤は、いずれも十分な安定性を有しているが、さらに安定性を高めるため、酸化防止剤等の安定剤を添加することも可能であり、例えば、２，２´−メチレンビス（４−エチル−６−ｔ−ブチルフェノール）、４，４´−メチレンビス（２−メチル−６−ｔ−ブチルフェノール）、ＢＨＴ、ＢＨＡ、メルカプトベンズイミダゾール等を用いることができる。
【００２０】
また、紫外線吸収阻害剤としてパラアミノ安息香酸類、桂皮酸類、サリチル酸類、ベンゾフェノン類及びベンゾトリアゾール類などの紫外線吸収剤を用いることにより、保管時、使用時の耐光性を一段と向上させることができる。
【００２１】
（担体）
本発明に用いられる担体としては、保持した常温揮散性薬剤を徐々に表面から揮散することができるものであれば特に限定されず、例えば、ポリエチレン系樹脂やポリプロピレン系樹脂のようなポリオレフィン系樹脂、あるいはこれらにカルボン酸エステル等の単量体を重合させて成形した樹脂製の担体や、パルプ紙、板紙、合成繊維混抄紙などの紙製の担体や、不織布、織物などの繊維製の担体が挙げられる。
このような構成を有することによって、それぞれの常温揮散性薬剤の揮散速度を各常温揮散性薬剤に応じたものとすることができ、より効果的な防虫効果を発現させることができるのである。
なお、これらの担体についても、常温揮散性薬剤と同様に単独で用いてもよいし、２種以上を併用することもできる。
【００２２】
また、樹脂製の担体においては、カルボン酸エステル単量体を多く含有するポリオレフィン系共重合体とオレフィンの単独重合体との含有比率を調整して混合したポリマーブレンドを用いることもできるし、必要に応じてスチレン系熱エラストマー等の他の高分子化合物を含有させることもできる。
【００２３】
なお、カルボン酸エステル等の単量体については、担体表面からの常温揮散性薬剤の揮散をコントロールするのに効果的なものであり、例えば、アクリル酸メチル、アクリル酸エチル、メタクリル酸メチル、メタクリル酸エチル、酢酸ビニル等が挙げられる。
さらに、ポリオレフィン系樹脂に対するこれらのカルボン酸エステル単量体の配合比率は、一般に、カルボン酸エステル単量体配合比率が高くなるほど常温揮散性薬剤のブリードの速度を遅らせる傾向があることから、使用する常温揮散性薬剤の種類や含有量、あるいは使用目的等に応じて適宜調節すればよく、好ましくはポリオレフィン系樹脂に対して１〜２０質量％の範囲で調整される。
【００２４】
本発明における担体に常温揮散性薬剤を保持させる方法としては、担体に保持させた常温揮散性薬剤を徐々に担体表面から揮散させることができる方法であれば特に限定されず、例えば、樹脂製の担体に常温揮散性薬剤を練り込んで成形することによって保持させる方法や紙製または繊維製の担体に常温揮散性薬剤を含浸または練り込むことによって保持させる方法などが挙げられる。
【００２５】
ここで、担体に樹脂製の担体を使用する場合には、揮散効率の点からメッシュ状にすることが好ましく、メッシュのフィラメントの直径としては、同じく揮散効率の点から０．１〜２ｍｍの範囲にすることが好ましい。
なお、フィラメントの直径は、常温揮散性薬剤の種類や使用期間に応じて上記範囲内から適宜設定される。すなわち、蒸気圧が高い（揮散速度が速い）常温揮散性薬剤の場合には、フィラメント直径を大きくすることによって揮散を抑制するように調整し、蒸気圧が低い（揮散速度が遅い）常温揮散性薬剤の場合には、フィラメント直径を小さくすることによって揮散を促すように調整する。
【００２６】
また、メッシュの網目（目開き）の大きさ（開孔率）についても、揮散効率と通気性の点から４０〜８５％の範囲にすることが好ましく、さらには５０〜７５％にすることが好ましい。
【００２７】
一方、メッシュの網目の形状については特に限定されず、必要に応じて角形、ひし形、六角形など適宜設定することができる。
【００２８】
担体に保持される常温揮散性薬剤の含有量は、使用する常温揮散性薬剤の種類、使用環境、使用条件などによって適宜決定されることになるが、防虫効果に必要な有効成分量を確保し、樹脂製の担体を用いる場合に常温揮散性薬剤を練り込んだ後の成形を容易にし、さらに担体表面に常温揮散性薬剤が過剰にブリードしてべたつきを起こすことを防止するためには、０．５〜１５重量％の範囲にすることが好ましい。
すなわち、常温揮散性薬剤の含有量が０．５重量％未満の場合には、防虫に必要な有効成分量を確保することが困難となり、一方、常温揮散性薬剤の含有量が１５重量％を超える場合には、樹脂製の担体を用いる場合に常温揮散性薬剤を練り込んだ後の成形が困難となり、さらに担体表面に常温揮散性薬剤が過剰にブリードしてべたつきを起こしやすくなることになる。
【００２９】
なお、通常、担体に配合される常温揮散性薬剤の含有量は３０〜６００ｍｇ程度で約３０〜１２０日程度の使用量として例示される。
また、含有量を設定するに当たっては、使用する常温揮散性薬剤の種類により異なるものの、例えば、メトフルトリン単独を使用した場合では、防虫効果が発現するのに必要な最低の揮散量は０．０３ｍｇ／ｈｒ以上であり、プロフルトリン単独では０．０３ｍｇ／ｈｒ以上であり、トランスフルトリン単独では０．０６ｍｇ／ｈｒ以上であることから、３０日における含有量についてはメトフルトリンでは３０〜５００ｍｇ、プロフロトリンでは３０〜３００ｍｇ、トランスフルトリンでは６０〜５００ｍｇの範囲で設定すればよいことになる。
【発明の効果】
【００３０】
本発明の請求項１にかかるドアノブ用薬剤揮散体によれば、正面部と側面部における開口面積を特定の状態とすることで、ドアノブ用薬剤揮散体としての防虫効果を発現させることができる。
【００３１】
本発明の請求項２にかかるドアノブ用薬剤揮散体によれば、薬剤容器の形状を特定の形状とすることで、容器中における空気の流れを確保でき、高い防虫効果を発現させることができる。
【００３２】
本発明の請求項３にかかるドアノブ用薬剤揮散体によれば、薬剤容器に足部を設けることで、空気の流れをスムースにして正面および側面の開口部から薬剤成分を揮散させることができ、高い防虫効果を発現させることができる。
【００３３】
本発明の請求項４にかかるドアノブ用薬剤揮散体によれば、特定の薬剤を使用することで、高い防虫効果を発現させることができる。
【図面の簡単な説明】
【００３４】
【図１】本発明のドアノブ用薬剤揮散体の一例を示す分解斜視図である。
【図２】図１のドアノブ用薬剤揮散体を側面から見た状態を示す模式図である。
【図３】図１のドアノブ用薬剤揮散体を背面から見た状態を示す模式図である。
【図４】図１のドアノブ用薬剤揮散体の使用状態を示す模式図である。
【発明を実施するための形態】
【００３５】
本発明の実施形態を図面に基づいて説明する。なお、以下に述べる実施形態は本発明を具体化した一例に過ぎず、本発明の技術的範囲を限定するものでない。  
図１は本発明のドアノブ用薬剤揮散体の一例を示す分解斜視図であり、図２は図１のドアノブ用薬剤揮散体を側面から見た状態を示す図であり、図３は図１のドアノブ用薬剤揮散体を背面から見た状態を示す図である。
【００３６】
まず、図１〜図３において示した、ドアノブ用薬剤揮散体１の基本的な構造について説明する。
【００３７】
図１〜図３において、ドアノブ用薬剤揮散体１は、本体部２と蓋体３からなる薬剤容器４と、フック部５と、常温揮散性薬剤を含浸させた担体６によって構成されている。
【００３８】
次に、各部品の構造について説明する。
【００３９】
（本体部）
図１〜図３に示す通り、本体部２は略直方体状のポリエステル製の容器であり、内部に常温揮散性薬剤を含浸させた担体６を収納できるように構成されている。また本体部２の底面には、ドア面との間に隙間を確保するための足部７が設けられているとともに、空気の流れを確保するための開口部８ａが設けられている。さらに本体部２の側面にはフック部５を係止するための調節孔兼開口部９が設けられている。
【００４０】
（蓋体）
図１〜図３に示す通り、蓋体３は側面視が円弧状のポリエステル製の容器であり、正面および側面に空気の流れを確保するための開口部８ｂ、８ｃが設けられている。
【００４１】
（フック部）
図１〜図３に示す通り、フック部５はポリプロピレン又はポリエチレン製の紐状の成形品であり、両端に本体部２の調節孔兼開口部９に係止するための係止部（図示せず）が設けられている。
【００４２】
（常温揮散性薬剤を含浸させた担体）
常温揮散性薬剤を含浸させた担体６は、ポリオレフィン系樹脂などに常温揮散性薬剤を練り込んだ後、メッシュ状に成形した成形品である。
【００４３】
次に、上記のように構成されたドアノブ用薬剤揮散体１の使用方法を説明する。図４は図１のドアノブ用薬剤揮散体の使用状態を示す模式図である。
図４に示す通り、フック部５を本体部２の調節孔兼開口部９に係止してフック部５を輪状にした後、ドアノブ１０に引っ掛けることによって使用する。従って、本実施形態のように本体部２の底面に足部７が設けられている場合には、薬剤容器４とドア面との間に隙間が形成されることから、背面の開口部８ａと側面および正面の開口部（８ｂ、８ｃ）との間における空気の流れが確保されることになる。
【００４４】
なお、上記の実施形態では、フック部５を輪状にした後、ドアノブ１０に引っ掛けることによって使用しているが、本発明のドアノブ用薬剤揮散体はそれに限定されるものでなく、フック部５を用いずに常温揮散性薬剤を含浸させた担体６を収納した薬剤容器４をテーブルなどに置いて使用することもできる。
さらに、この発明でいうドアノブとは、ドアの開閉時のドア部分のみならず、ドア部分に引っ掛けることが可能となるような全ての部分を含むものである。
【実施例】
【００４５】
次に、本発明の具体的な効果を実施例と比較例とを対比させて詳しく説明する。
【００４６】
（実施例１）
表１に示すように、ポリエチレン系樹脂にメトフルトリンを練り込んだ後、線径を０．７ｍｍにしてメッシュ状に成形した常温揮散性薬剤を含浸させた担体を作製した。
次に、当該担体７００ｍｍ３を、略直方体状に成形した長さ１７０ｍｍ×幅５０ｍｍ×厚み１３ｍｍのポリエステル製の本体部と、側面視が円弧状になるように成形した長さ１７０ｍｍ、幅５０ｍｍ、中心部の厚みが２５ｍｍ、端部の厚みが５ｍｍの蓋体とからなる薬剤容器に収納してドアノブ用薬剤揮散体を作製した。
ここで、薬剤容器の側面における開口部（Ａ）の面積は側面の面積全体の１０％であり、正面及び背面における開口部（Ｂ）の合計面積は正面及び背面の合計面積全体の３３．３％であり、側面に設けられた開口部（Ａ）と正面及び背面に設けられた開口部（Ｂ）との面積比はＡ／Ｂ＝０．３である。
【００４７】
（実施例２〜１１）
常温揮散性薬剤、側面、正面、背面の開口部の開口率、側面に設けられた開口部（Ａ）と正面及び背面に設けられた開口部（Ｂ）との面積比（開口比率）を表１に示すようにした以外は、実施例１と同様にして実施例２〜１１のドアノブ用薬剤揮散体を作製した。
【００４８】
（比較例１〜６）
常温揮散性薬剤、側面、正面、背面の開口部の開口率、側面に設けられた開口部（Ａ）と正面及び背面に設けられた開口部（Ｂ）との面積比（開口比率）を表１に示すようにした以外は、実施例１と同様にして比較例１〜６のドアノブ用薬剤揮散体を作製した。
【００４９】
（防虫性能試験）
次に、上記にて作製したドアノブ用薬剤揮散体を２５ｍ３の部屋（床面積１０ｍ２×高さ２．５ｍ）のドアノブにフック部を用いて引っ掛け、常温揮散性薬剤を室内に揮散させた。所定期間後、アカイエカ雌成虫５０匹を放ち、時間の経過に伴う仰転数を数え、ＫＴ50値を求めた。ＫＴ50値により、以下のように評価した。結果を表１に示す。
○：４０分未満、△：４０分以上８０分未満、×：８０分以上
【００５０】
【表１】
0005805521.tif 000002
【００５１】
試験の結果、表１から、実施例１〜１１については、使用期間の初期段階から末期段階まで、安定した防虫効果が発現することがわかった。また、フィラメントの直径、容器の開口率、含有量を調整することによって、使用期間や使用状態に応じた防虫効果を発現させることができることがわかった。
これに対し、比較例１〜６については、対応する実施例に比べて使用期間において安定した防虫効果が発現しなかった。
以上の結果から、各面における開口部の占める面積（開口率）を特定の範囲にしつつ、側面に設けられた開口部（Ａ）と正面及び背面に設けられた開口部（Ｂ）との面積比（開口比率）についても特定の範囲とすることによって、ドアノブに係止して使用した場合に常温揮散性薬剤の十分な揮散を確保することができることがわかった。
【産業上の利用可能性】
【００５２】
本発明のドアノブ用薬剤揮散体は、蚊、ブユ等の飛翔害虫を駆除または忌避する薬剤揮散体に用いることができる。
【符号の説明】
【００５３】
１    ドアノブ用薬剤揮散体
２    本体部
３    蓋体
４    薬剤容器
５    フック部
６    常温揮散性薬剤を含浸させた担体
７    足部
８ａ  開口部
８ｂ  開口部
８ｃ  開口部
９    調節孔兼開口部
１０  ドアノブ
【図１】
0005805521.tif 000003
【図２】
0005805521.tif 000004
【図３】
0005805521.tif 000005
【図４】
0005805521.tif 000006